(57)【要約】【課題】サウナ室をロウリュサウナに適する温度に加熱することができるとともに、サウナ室を速やかにロウリュサウナにすることができるロウリュサウナシステムを提供する。【解決手段】ロウリュサウナシステム１０Ａは、燃焼ガスの熱をサウナ室１１の室内に放熱するヒーター装置１２と、燃焼ガスの熱を利用して所定温度の高温蒸気を発生する蒸気発生装置１３とから形成されている。蒸気発生装置１３では、ケーシング３１の頂部開口の閉鎖中に燃焼ガスをケーシング３１の頂部から底部に向かって流動させ、蓋３３を開けてケーシング３１の頂部開口３２を開放した後、頂部開口３２からケーシング３１内部に収容されたそれらサウナストーン３４に注水することで、頂部開口３２から大量の高温蒸気をサウナ室１１の室内に一気に放出させる。【選択図】図１
2015096111.tif 000002
【特許請求の範囲】
【請求項１】
所定温度の燃焼ガスを利用してサウナ室をロウリュサウナにするロウリュサウナシステムにおいて、
前記ロウリュサウナシステムが、前記燃焼ガスの熱を前記サウナ室内に放熱するヒーター装置と、前記燃焼ガスの熱を利用して高温蒸気を発生する蒸気発生装置とから形成され、
前記ヒーター装置が、前記燃焼ガスを作るバーナーと、前記バーナーにつながって前記燃焼ガスの熱を前記サウナ室内に放熱しつつ、該燃焼ガスを前記蒸気発生装置に流入させる熱第１放射管と、前記蒸気発生装置から流出した燃焼ガスの熱を前記サウナ室内に放熱する熱第２放射管と、前記熱第２放射管につながって前記燃焼ガスを外気に排気する排気口と、前記燃焼ガスを前記バーナーから前記排気口に向かって流動させるファンとを有し、
前記蒸気発生装置が、上下方向へ長いケーシングと、前記ケーシングの頂部開口を開閉可能な蓋と、前記ケーシングの内部に収容されて前記燃焼ガスによって高温に加熱される複数のサウナストーンと、前記ケーシングの頂部に作られて前記熱第１放射管が接続される燃焼ガス流入口と、前記ケーシングの底部に作られて前記熱第２放射管が接続される燃焼ガス流出口とを有し、
前記蒸気発生装置では、前記ケーシングの頂部開口の閉鎖中に前記燃焼ガスを該ケーシングの頂部から底部に向かって流動させ、前記蓋を開けて前記ケーシングの頂部開口を開放した後、該頂部開口から該ケーシング内部に収容されたそれらサウナストーンに注水することで、該頂部開口から大量の高温蒸気を前記サウナ室内に一気に放出させることを特徴とするロウリュサウナシステム。
【請求項２】
前記ヒーター装置の熱第１放射管が、所定容積のハウジングに収容されて上下方向へ蛇行して延びる第１起伏部と、前記ハウジングの外側に延出して前記ケーシングの燃焼ガス流入口につながる第１露出部とを有し、前記ヒーター装置の第２放射管が、前記ハウジングの外側に延出して前記ケーシングの燃焼ガス流出口につながる第２露出部と、前記ハウジングに収容されて上下方向へ蛇行して延びる第２起伏部とを有する請求項１に記載のロウリュサウナシステム。
【請求項３】
前記蒸気発生装置では、前記蓋を閉めて前記ケーシングの頂部開口を閉鎖した状態で、前記燃焼ガスを該ケーシングの頂部から底部に向かって流動させることで、前記頂部に位置するサウナストーンから前記底部に位置するサウナストーンに向かってそれらサウナストーンを高温に加熱する請求項１または請求項２に記載のロウリュサウナシステム。
【請求項４】
前記蒸気発生装置では、前記ケーシングの頂部開口からの高温蒸気の放出が終了した後、前記蓋を閉めて前記ケーシングの頂部開口を閉鎖し、前記燃焼ガスを該ケーシングの頂部から底部に向かって流動させることでそれらサウナストーンを再加熱し、それらサウナストーンの再加熱では、前記ケーシングの頂部に位置するサウナストーンが該ケーシングの中間部に位置するサウナストーンよりも先に加熱され、前記ケーシングの中間部に位置するサウナストーンが該ケーシングの底部に位置するサウナストーンよりも先に加熱される請求項１ないし請求項３いずれかに記載のロウリュサウナシステム。
【請求項５】
前記ロウリュサウナシステムが、前記熱第１放射管の第１露出部と前記熱第２放射管の第２露出部とに連結された燃焼ガスバイパス管を含み、前記ロウリュサウナシステムでは、前記蓋を開けて前記ケーシングの頂部開口を開放する際に、前記燃焼ガスバイパス管が開放され、前記燃焼ガス流入口と前記燃焼ガスバイパス管との間に延びる前記第１露出部が閉鎖されるとともに、前記燃焼ガス流出口と前記燃焼ガスバイパス管との間に延びる前記第２露出部が閉鎖され、前記ケーシングの頂部から該ケーシング内部への燃焼ガスの流入が遮断されて燃焼ガスが前記第１露出部から前記バイパス管を通って前記第２露出部に流入する請求項１ないし請求項４いずれかに記載のロウリュサウナシステム。
【請求項６】
前記ロウリュサウナシステムでは、前記蓋を閉めて前記ケーシングの頂部開口を閉鎖する際に、前記燃焼ガスバイパス管が閉鎖され、前記燃焼ガス流入口と前記燃焼ガスバイパス管との間に延びる前記第１露出部が開放されるとともに、前記燃焼ガス流出口と前記燃焼ガスバイパス管との間に延びる前記第２露出部が開放され、前記燃焼ガスが前記ケーシングの頂部から底部に向かって流動する請求項５に記載のロウリュサウナシステム。
【発明の詳細な説明】
【技術分野】
【０００１】
本発明は、所定温度の燃焼ガスを利用してサウナ室をロウリュサウナにするロウリュサウナシステムに関する。
【背景技術】
【０００２】
上下方向へ長いハウジングと、ハウジングの内部に配置されて可燃ガスを燃焼させるガス燃焼バーナーおよび燃焼筒を有するガス燃焼装置と、燃焼筒に接続されてガス燃焼装置から出る燃焼ガスを下流側の排気設備に向かって通過させる熱放射管と、熱放射管に設置され、燃焼筒から熱放射管を通って排気される燃焼ガスの熱を利用して蒸気を発生させる加湿装置とを備えたガス燃焼ヒーターが開示されている（特許文献１参照）。このガス燃焼ヒーターは、サウナ室に設置され、燃焼ガスを利用してサウナ室内を加熱するとともに、サウナ室内を加湿する。
【０００３】
ガス燃焼ヒーターの加湿装置は、空間部が内部に形成されてその空間部を燃焼ガスが流れるように設置された外筒と、内部に貯水室を有して外筒の空間部に一部が挿入される内筒とから形成されている。ガス燃焼ヒーターでは、ガス燃焼装置による可燃ガスの燃焼よって発生する燃焼ガスが外筒の空間部を流れ、その燃焼ガスにより内筒が加熱されて貯水室内の水が蒸気化される。発生した蒸気は、内筒から外筒の外に放出され、熱放射管から放熱される熱とともに蒸気が室内に供給される。
【先行技術文献】
【特許文献】
【０００４】
【特許文献１】特開２０１３−２３４８５５号公報
【発明の概要】
【発明が解決しようとする課題】
【０００５】
前記特許文献１に開示のガス燃焼ヒーターは、熱放射管に加湿装置を設置することで、それとは別の蒸気発生設備を施設することなく、ヒーター自体から蒸気をサウナ室に放出させることができる。しかし、加湿装置から大量の蒸気を一気に発生させることができず、大量の熱気流（熱波）で身体を包み込むロウリュウサウナ（フィンランド式サウナ）の蒸気発生装置として利用することはできない。なお、サウナ室は、その種類によって温度が異なり、６０〜１００℃の広い温度範囲で利用される。
【０００６】
本発明の目的は、サウナ室をロウリュサウナに適する温度に加熱することができるとともに、サウナ室に大量の高温蒸気を短時間に放出かつ充満させてサウナ室をロウリュサウナに適する熱気流環境にすることができるロウリュサウナシステムを提供することにある。また、大量の高温蒸気を短時間に複数回発生させることができ、サウナ室を速やかにロウリュウサウナにすることができるロウリュサウナシステムを提供することにある。
【課題を解決するための手段】
【０００７】
前記課題を解決するための本発明の前提は、所定温度の燃焼ガスを利用してサウナ室をロウリュサウナにするロウリュサウナシステムである。
【０００８】
前記前提における本発明の特徴は、ロウリュサウナシステムが、燃焼ガスの熱をサウナ室内に放熱するヒーター装置と、燃焼ガスの熱を利用して高温蒸気を発生する蒸気発生装置とから形成され、ヒーター装置が、燃焼ガスを作るバーナーと、バーナーにつながって燃焼ガスの熱をサウナ室内に放熱しつつ、燃焼ガスを蒸気発生装置に流入させる熱第１放射管と、蒸気発生装置から流出した燃焼ガスの熱をサウナ室内に放熱する熱第２放射管と、熱第２放射管につながって燃焼ガスを外気に排気する排気口と、燃焼ガスをバーナーから排気口に向かって流動させるファンとを有し、蒸気発生装置が、上下方向へ長いケーシングと、ケーシングの頂部開口を開閉可能な蓋と、ケーシングの内部に収容されて燃焼ガスによって高温に加熱される複数のサウナストーンと、ケーシングの頂部に作られて熱第１放射管が接続される燃焼ガス流入口と、ケーシングの底部に作られて熱第２放射管が接続される燃焼ガス流出口とを有し、蒸気発生装置では、ケーシングの頂部開口の閉鎖中に燃焼ガスをケーシングの頂部から底部に向かって流動させ、蓋を開けてケーシングの頂部開口を開放した後、頂部開口からケーシング内部に収容されたそれらサウナストーンに注水することで、頂部開口から大量の高温蒸気をサウナ室内に一気に放出させることにある。
【０００９】
本発明の一例としては、ヒーター装置の熱第１放射管が、所定容積のハウジングに収容されて上下方向へ蛇行して延びる第１起伏部と、ハウジングの外側に延出してケーシングの燃焼ガス流入口につながる第１露出部とを有し、ヒーター装置の第２放射管が、ハウジングの外側に延出してケーシングの燃焼ガス流出口につながる第２露出部と、ハウジングに収容されて上下方向へ蛇行して延びる第２起伏部とを有する。
【００１０】
本発明の他の一例として、蒸気発生装置では、蓋を閉めてケーシングの頂部開口を閉鎖した状態で、燃焼ガスをケーシングの頂部から底部に向かって流動させることで、頂部に位置するサウナストーンから底部に位置するサウナストーンに向かってそれらサウナストーンを高温に加熱する。
【００１１】
本発明の他の一例として、蒸気発生装置では、ケーシングの頂部開口からの高温蒸気の放出が終了した後、蓋を閉めてケーシングの頂部開口を閉鎖し、燃焼ガスをケーシングの頂部から底部に向かって流動させることでそれらサウナストーンを再加熱し、それらサウナストーンの再加熱では、ケーシングの頂部に位置するサウナストーンがケーシングの中間部に位置するサウナストーンよりも先に加熱され、ケーシングの中間部に位置するサウナストーンがケーシングの底部に位置するサウナストーンよりも先に加熱される。
【００１２】
本発明の他の一例としては、ロウリュサウナシステムが熱第１放射管の第１露出部と熱第２放射管の第２露出部とに連結された燃焼ガスバイパス管を含み、ロウリュサウナシステムでは、蓋を開けてケーシングの頂部開口を開放すると、燃焼ガスバイパス管が開放され、燃焼ガス流入口と燃焼ガスバイパス管との間に延びる第１露出部が閉鎖されるとともに、燃焼ガス流出口と燃焼ガスバイパス管との間に延びる第２露出部が閉鎖され、ケーシングの頂部からケーシング内部への燃焼ガスの流入が遮断されて燃焼ガスが第１露出部からバイパス管を通って第２露出部に流入する。
【００１３】
本発明の他の一例として、ロウリュサウナシステムでは、蓋を閉めてケーシングの頂部開口を閉鎖すると、燃焼ガスバイパス管が閉鎖され、燃焼ガス流入口と燃焼ガスバイパス管との間に延びる第１露出部が開放されるとともに、燃焼ガス流出口と燃焼ガスバイパス管との間に延びる第２露出部が開放され、燃焼ガスがケーシングの頂部から底部に向かって流動する。
【発明の効果】
【００１４】
本発明にかかるロウリュサウナシステムによれば、それが燃焼ガスの熱をサウナ室内に放熱するヒーター装置と燃焼ガスの熱を利用してサウナ室内に高温蒸気を放出する蒸気発生装置とから形成されているから、ヒーター装置の熱第１放射管および熱第２放射管から燃焼ガスの熱を放熱することによってサウナ室をロウリュウサウナに適する温度に加熱することができるとともに、蒸気発生装置から大量の高温蒸気を発生させることによってサウナ室に大量の高温蒸気を放出かつ充満させることができ、サウナ室を速やかにロウリュウサウナに適する熱気流環境にすることができる。ロウリュサウナシステムは、ケーシングの頂部開口の閉鎖中に燃焼ガスをケーシングの頂部から底部に向かって流動させ、ケーシングに収容されたサウナストーンが直ちに加熱されるから、蒸気発生装置から大量の高温蒸気を短時間に複数回発生させることができ、サウナ室を速やかにロウリュウサウナにすることができる。ロウリュサウナシステムは、蒸気発生装置の頂部から底部に向かって燃焼ガスを流動させることで、頂部に位置するサウナストーンが高温に加熱され、そのサウナストーンに注水することで頂部のサウナストーンにおいて水が瞬時に気化し、蒸気発生装置から多量の高温蒸気をサウナ室内に一気に放出させることができる。
【００１５】
ヒーター装置の熱第１放射管が所定容積のハウジングに収容されて上下方向へ蛇行して延びる第１起伏部とケーシングの燃焼ガス流入口につながる第１露出部とを有し、ヒーター装置の熱第２放射管がケーシングの燃焼ガス流出口につながる第２露出部とハウジングに収容されて上下方向へ蛇行して延びる第２起伏部とを有するロウリュサウナシステムは、熱第１放射管の第１起伏部および熱第２放射管の第２起伏部から燃焼ガスの熱を放熱することによってサウナ室をロウリュウサウナに適する温度に加熱することができ、燃焼ガスを第１露出部から蒸気発生装置に送ることによってサウナストーンを加熱し、サウナストーンに注水することで蒸気発生装置から大量の高温蒸気を発生させることができる。ロウリュサウナシステムは、熱第１放射管の第１起伏部や熱第２放射管の第２起伏部から放熱される熱によってサウナ室がロウリュウサウナに適する温度に加熱されるとともに、蒸気発生装置から大量の高温蒸気を発生させてサウナ室に大量の高温蒸気を放出かつ充満させることにより、サウナ室を速やかにロウリュウサウナにすることができる。
【００１６】
蒸気発生装置の蓋を閉めてケーシングの頂部開口を閉鎖した状態で、燃焼ガスをケーシングの頂部から底部に向かって流動させることで、頂部に位置するサウナストーンから底部に位置するサウナストーンに向かってそれらサウナストーンを所定温度に加熱するロウリュサウナシステムは、ケーシングの頂部開口を閉鎖した状態で燃焼ガスを蒸気発生装置の頂部から底部に向かって流動させることで、頂部に位置するサウナストーンが高温に加熱され、頂部開口を開放した後に頂部に位置するサウナストーンに注水することでそれらサウナストーンにおいて水が瞬時に気化し、蒸気発生装置から大量の高温蒸気をサウナ室内に一気に放出させることができる。
【００１７】
ケーシングの頂部開口からの高温蒸気の放出が終了した後、蓋を閉めてケーシングの頂部開口を閉鎖し、燃焼ガスをケーシングの頂部から底部に向かって流動させることでそれらサウナストーンを再加熱するロウリュサウナシステムは、頂部開口から注水して高温蒸気を発生させると、頂部に位置するサウナストーンの温度が真っ先に低下するが、燃焼ガスをケーシングの頂部から底部に向かって流動させることで、頂部に位置するサウナストーンが速やかに加熱されるとともに、中間部や底部に位置するサウナストーンが速やかに加熱されるから、蒸気発生装置における高温蒸気の発生サイクルを短くすることができ、蒸気発生装置から大量の高温蒸気を短時間に複数回発生させることができる。
【００１８】
熱第１放射管の第１露出部と熱第２放射管の第２露出部とに連結された燃焼ガスバイパス管を含み、蓋を開けてケーシングの頂部開口を開放する際に、燃焼ガスバイパス管が開放され、燃焼ガス流入口と燃焼ガスバイパス管との間に延びる第１露出部が閉鎖されるとともに、燃焼ガス流出口と燃焼ガスバイパス管との間に延びる第２露出部が閉鎖され、ケーシングの頂部からケーシング内部への燃焼ガスの流入が遮断されて燃焼ガスが第１露出部からバイパス管を通って第２露出部に流入するロウリュサウナシステムは、
たとえばバイパス管が設置されていない状態でケーシングの頂部開口が開放されると、頂部開口からサウナ室内の空気がケーシング内部へ進入するとともに空気が熱第２放射管に進入し、熱第１放射管やバーナーを負圧に保持することができず、燃焼ガスをバーナーから排気口に向かって円滑に流動させることができなくなるが、バイパス管を設置することで、ケーシングの頂部開口が開放されたときに燃焼ガスがバイパス管に流入するから、熱第２放射管に空気が進入することはなく、熱第１放射管やバーナーを負圧に保持することができ、燃焼ガスをバーナーから排気口に向かって円滑に流動させることができる。また、バイパス管が設置されていない状態でケーシングの頂部開口が開放されると、発生した高温蒸気が熱第２放射管を通って排気口からサウナ室の室外に放出されてしまうが、バイパス管を設置することで、ケーシングの頂部開口が開放されたときに燃焼ガスがバイパス管に流入し、燃焼ガスがケーシングの頂部から底部に向かって流動することはなく、発生した高温蒸気をケーシングの頂部開口からサウナ室の室内に確実に放出させることができる。さらに、ケーシング内部に空気が進入すると、燃焼ガスに空気が混合されて燃焼ガスの熱エネルギーが低下し、熱第２放射管から高い熱エネルギーを有する赤外線を放射させることができないが、頂部開口の開放中に燃焼ガスがバイパス管を通って第２露出部に流入するから、頂部開口の開放中における燃焼ガスの熱エネルギーの低下を防ぐことができ、熱第２放射管を介して十分な熱エネルギーを有する赤外線をサウナ室内に放射させることができ、サウナ室の温度をロウリュウサウナに適する温度に加熱かつ保持することができる。なお、頂部開口の開放中に燃焼ガスが頂部開口から漏出して燃焼ガスによる不測の事故が起こる場合があるが、頂部開口の開放中に燃焼ガスが頂部開口から漏出する心配はなく、燃焼ガスによる不測の事故を防ぐことができる。
【００１９】
蓋を閉めてケーシングの頂部開口を閉鎖する際に、燃焼ガスバイパス管が閉鎖され、燃焼ガス流入口とバイパス管との間に延びる第１露出部が開放されるとともに、燃焼ガス流出口とバイパス管との間に延びる第２露出部が開放され、燃焼ガスがケーシングの頂部から底部に向かって流動するロウリュサウナシステムは、ケーシングの頂部開口が閉鎖された際、直ちに燃焼ガスをケーシングの頂部から底部に向かって流動させることができ、サウナストーンを速やかに再加熱することができる。ロウリュサウナシステムは、頂部開口から水を注水して高温蒸気を発生させると、頂部に位置するサウナストーンの温度が真っ先に低下するが、燃焼ガスをケーシングの頂部から底部に向かって流動させることで、頂部に位置するサウナストーンが速やかに加熱されるとともに、中間部や底部に位置するサウナストーンが速やかに加熱されるから、蒸気発生装置における高温蒸気の発生サイクルを短くすることができ、蒸気発生装置から大量の高温蒸気を短時間に複数回発生させることができる。
【図面の簡単な説明】
【００２０】
【図１】一例として示すロウリュサウナシステムの正面図。
【図２】バーナーおよびファンを示すロウリュサウナシステムの側面図。
【図３】ケーシングの蓋を閉めた状態で示す蒸気発生装置の斜視図。
【図４】ケーシングの蓋を閉めた状態で示す蒸気発生装置の斜視図。
【図５】ケーシングの蓋を開けた状態で示す蒸気発生装置の斜視図。
【図６】ケーシングの蓋を開けた状態で示す蒸気発生装置の斜視図。
【図７】他の一例として示すロウリュサウナシステムの斜視図。
【図８】ケーシングの蓋を閉めた状態で示す蒸気発生装置の斜視図。
【図９】蓋を閉めた状態の蒸気発生装置における燃焼ガスの流れを示す模式図。
【図１０】ケーシングの蓋を開けた状態で示す蒸気発生装置の斜視図。
【図１１】蓋を開けた状態の蒸気発生装置における燃焼ガスの流れを示す模式図。
【発明を実施するための形態】
【００２１】
一例として示すロウリュサウナシステム１０Ａの正面図である図１等の添付の図面を参照し、本発明にかかるロウリュサウナシステムの詳細を説明すると、以下のとおりである。なお、図２は、ヒーター装置１２のバーナー１５およびファン１９を示すロウリュサウナシステム１０Ａの側面図であり、図３，４は、ケーシング３１の蓋３３を閉めた状態で示す蒸気発生装置１３の斜視図である。図５，６は、ケーシング３１の蓋３３を開けた状態で示す蒸気発生装置１３の斜視図である。
【００２２】
図１では、ガード柵の図示を省略し、サウナ室１１の椅子に腰掛けた利用者を二点鎖線で示すとともに、ケーシング３１に収容されたサウナストーン３４を点線で示す。図２では、バーナー１５およびファン１９の具体的な図示を省略し、バーナー１５およびファン１９を概念的に示す。図１〜図４では、燃焼ガスの流動を矢印Ｌ１で示し、図２では、放熱を矢印Ｌ２で示す。図５，６では、高温蒸気の放出を矢印Ｌ３で示す。図１，２では、上下方向を矢印Ａ、横方向を矢印Ｂで示し、前後方向を矢印Ｃで示す。
【００２３】
ロウリュサウナシステム１０Ａは、所定温度の燃焼ガスを利用してサウナ室１１を加熱かつ加湿し、サウナ室１１をロウリュサウナにする。ロウリュサウナシステム１０Ａは、気体燃料（天然ガスや石油分解ガス、液化石油ガス、水素ガス等）または液体燃料（軽油や灯油、重油等）を燃焼させて所定温度（高温）の燃焼ガスを作り、その燃焼ガスの熱をサウナ室１１の室内に放熱するヒーター装置１２と、燃焼ガスの熱を利用して高温蒸気を発生する蒸気発生装置１３とから形成されている。気体燃料を使用する場合は、ガス栓に連結されたガス供給ホース（図示せず）からヒーター装置１２の後記するバーナー１５に気体燃料（ガス）が供給される。液体燃料を使用する場合は、ヒーター装置１２に設置された燃料タンク（図示せず）からバーナー１５に液体燃料（油）が供給される。
【００２４】
ヒーター装置１２は、上下方向へ長い所定容積のハウジング１４と、燃焼ガスを作るバーナー１５と、バーナー１５につながって燃焼ガスの熱をサウナ室１１の室内に放熱する熱第１放射管１６と、蒸気発生装置１３から流出した燃焼ガスの熱をサウナ室１１の室内に放熱する熱第２放射管１７と、熱第２放射管１７につながって燃焼ガスを外気に排気する排気口１８と、燃焼ガスを流動させるファン１９とを有する。
【００２５】
ハウジング１４は、サウナ室１１の室内に設置されている。ハウジング１４は、鉄やステンレス等の金属から作られ、所定の厚み寸法を有する頂壁２０および底壁２１（台座）と、所定の厚み寸法を有する後壁２２と、所定の厚み寸法を有する両側壁２３，２４とを有する。ハウジング１４には、それら壁２０，２１，２３，２４に囲繞されて前方へ向かって開口する開口部２５が画成されている。開口部２５には、図示はしていないが、金属から作られたガード柵が嵌め込まれている。
【００２６】
バーナー１５は、サウナ室１１の壁とハウジング１４の後壁２２とを貫通し、サウナ室１１の壁を隔ててサウナ室１１の室内と室外とに跨って設置されている。バーナー１５には、図示はしていないが、制御装置が設置されているとともに、ヒーター装置１２の発停（ＯＮ／ＯＦＦ）やヒーター装置１２における温度の調節（温度の高低）、ヒーター装置１２の稼働時間の調節（タイマー）等を指示する操作パネルが設置されている。
【００２７】
なお、図示はしていないが、バーナー１５には、燃焼用空気の給気口が作られている。また、気体燃料を使用する場合、バーナー１４に気体燃料を供給する燃料供給ホースを接続するホース接続口が作られる。液体燃料を使用する場合、液体燃料を供給する燃料タンクがバーナー１５の内部に接続される。バーナー１５は、燃焼用空気と気体燃料または液体燃料との混合気（混合ガス）を作り、その混合気に点火して燃焼させ、高温の燃焼ガスを生成し、その燃焼ガスを熱第１放射管１６や熱第２放射管１７、蒸気発生装置１３に供給する。
【００２８】
制御装置は、操作パネルから入力されたＯＮ／ＯＦＦ信号に従って、ヒーター装置１２の発停を行い、操作パネルから入力された設定温度信号に従って、バーナー１５に供給する燃料の供給量やファン１９の回転数（出力）を調節し、ヒーター装置１２の燃焼量（熱第１放射管１６や熱第２放射管１７から放射される赤外線の温度）を制御する。
【００２９】
熱第１放射管１６は、鉄やステンレス等の金属から作られ、円筒形に成形されている。放射管１６の表面全域には、耐熱遠赤外線放射塗料が塗布されている。放射管１６は、ハウジング１４の内部に収容されてバーナー１５に連結され、ハウジング１４の内部において上下方向へ蛇行して延びる第１起伏部２６と、第１起伏部２６に続いてハウジング１４の外側に延出する第１露出部２７とを有する。第１起伏部２６は、その一部がハウジング１４の側壁２４を貫通し、第１露出部２７につながっている。第１起伏部２６や第１露出部２７は、バーナー１５で作られた燃焼ガスの熱をサウナ室１２の室内に放熱する。第１露出部２７は、第１起伏部２６から流入した燃焼ガスを蒸気発生装置１３に流入させる。
【００３０】
熱第２放射管１７は、鉄やステンレス等の金属から作られ、円筒形に成形されている。放射管１７の表面全域には、耐熱遠赤外線放射塗料が塗布されている。放射管１７は、ハウジング１４の内部に収容されてハウジング１４の内部において上下方向へ蛇行して延びる第２起伏部２８と、第２起伏部２８に続いてハウジング１４の外側に延出する第２露出部２９とを有する。熱第２放射管１７のうちの第２起伏部２８から延びる排気部３０は、ハウジング１４の後壁２２とサウナ室１１の壁とを貫通し、サウナ室１１の室外に延びている。
【００３１】
第２起伏部２８は、その一部がハウジング１４の側壁２４を貫通し、第２露出部２９につながっている。第２起伏部２８や第２露出部２９は、蒸気発生装置１３から流出した燃焼ガスの熱をサウナ室１１の室内に放熱する。第２露出部２９は、蒸気発生装置１３から流出した燃焼ガスを第２起伏部２８に流入させる。熱第１放射管１６の第１起伏部２６の長さは、熱第２放射管１７の第２起伏部２８の長さの略半分である。なお、第１起伏部２６の長さが第２起伏部２８の長さの半分以下であってもよい。
【００３２】
排気口１８は、サウナ室１１の室外に設置され、熱第２放射管１７の第２起伏部２８から延びる排気部３０につながっている。排気口１８は、放射管１７を流動した燃焼ガスをサウナ室１１の室外（外気）に排気する。ファン１９は、サウナ室１１の室外に配置され、放射管１７の排気部３０に設置されている。ファン１９は、バーナー１５に燃焼用空気を給気するとともに、放射管１６の内部や放射管１７の内部、蒸気発生装置１３の内部（後記するケーシングの内部）を負圧に保持し、燃焼ガスをバーナー１５から排気口３０に向かって流動させる。
【００３３】
蒸気発生装置１３は、サウナ室１１の室内に設置されている。蒸気発生装置１３は、上下方向へ長い所定容積のケーシング３１と、ケーシング３１の頂部開口３２を開閉可能な蓋３３（ハッチ）と、ケーシング３１の内部に収容された複数のサウナストーン３４と、ケーシング３１の頂部３５に作られた燃焼ガス流入口３８と、ケーシング３１の底部３７に作られた燃焼ガス流出口３９とを有する。蒸気発生装置１３は、既存のリンク機構を利用して蓋３３を開閉する足踏み開閉式であるが、モーターを設置した自動開閉式であってもよい。
【００３４】
ケーシング３１は、鉄やステンレス等の金属から作られ、所定の厚み寸法を有する前後板４０，４１および両側板４２，４３と、所定の厚み寸法を有する台座４４とを有し、上下方向へ長い角柱状に成形されている。ケーシング３１には、それら壁４０〜４３に囲繞されたサウナストーン収容空間４５が画成されているとともに、それら壁４０〜４３の上端縁に囲繞されて上方へ向かって開口する頂部開口３２が画成されている。台座４４には、足踏みペダル４６が設置されている。ケーシング３１では、ペダル４６を足で踏む込むことで蓋３３が開いて頂部開口３２が開放され、ペダル４６への踏み込みを解除することで蓋３３が閉まって頂部開口３２が閉鎖される。蓋３３が閉まった状態では、ケーシング３１の頂部開口３２が気密に密閉される。
【００３５】
それらサウナストーン３４は、ケーシング３１の底部３７から頂部３５に向かって収容空間４５に密に収容されている。それらサウナストーン３４は、燃焼ガスによって高温に加熱される。燃焼ガス流入口３８には熱第１放射管１６の第１露出部２７が接続され、第１露出部２７が燃焼ガス流入口３８（ケーシング３１の頂部３５）につながっている。燃焼ガス流出口３９には熱第２放射管１７の第２露出部２９が接続され、第２露出部２９が燃焼ガス流出口３９（ケーシング３１の底部３７）につながっている。
【００３６】
図１〜図６に基づいてロウリュサウナシステム１０Ａにおける燃焼ガスの流れや熱の放熱、高温蒸気の放出を説明すると、以下のとおりである。操作パネルにおいてスイッチをＯＮにすると、入力されたＯＮ信号に従って制御装置がヒーター装置１２を起動させる。なお、ヒーター装置１２の起動時では、蒸気発生装置１３の蓋３３が閉められ、ケーシング３１の頂部開口３２が蓋３３によって閉鎖されている。ヒーター装置１２が起動すると、ファン１９によって燃焼用空気が給気口からバーナー１５に給気されるとともに、燃料がバーナー１５に供給される。バーナー１５は、燃焼用空気と燃料とを混合した混合気に点火し、混合気を燃焼させて燃焼ガスを生成する。
【００３７】
バーナー１５によって作られた燃焼ガスは、バーナー１５から熱第１放射管１６に流入し、図１に矢印Ｌ１で示すように、熱第１放射管１６の第１起伏部２６を流動した後、第１起伏部２６から第１露出部２７に流入する。燃焼ガスが熱第１放射管１６を流動する過程において、その燃焼熱（熱エネルギー）が熱第１放射管１６の表面全域に伝達され、図２に矢印Ｌ２で示すように、燃焼熱が第１起伏部２６の表面全域からハウジング１４の前方へ放熱されるとともに第１露出部２７の表面全域から放熱され、燃焼ガスの熱がサウナ室１１の室内に放熱される。
【００３８】
第１露出部２７に流入した燃焼ガスは、ケーシング３１の頂部３５に作られた燃焼ガス流入口３８からケーシング３１のサウナストーン収容空間２５（蒸気発生装置１３の内部）に流入し、ケーシング３１の頂部３５から底部３７に向かって流動した後、ケーシング３１の底部３７に作られた燃焼ガス流出口３９からケーシング３１の外部（蒸気発生装置１３の外部）に流出する。蒸気発生装置１３では、蓋３３を閉めてケーシング３１の頂部開口３２を閉鎖した状態で、燃焼ガスがケーシング３１の頂部３５から底部３７に向かって流動することで、頂部３５に位置するサウナストーン３４から底部３７に位置するサウナストーン３４に向かってそれらサウナストーン３４が高温に加熱される。蒸気発生装置１３では、ケーシング３１の頂部３５に位置するサウナストーン３４がケーシング３１の中間部３６および底部３７に位置するサウナストーン３４よりも高い温度に加熱されている。
【００３９】
ケーシング３１の燃焼ガス流出口３９（蒸気発生装置１３）から流出した燃焼ガスは、熱第２放射管１７の第２露出部２９に流入し、図１に矢印Ｌ１で示すように、第２露出部２９から第２起伏部２８を流動した後、第２起伏部２８から排気部３０に流入する。燃焼ガスが熱第２放射管１７を流動する過程において、その燃焼熱（熱エネルギー）が熱第２放射管１７の表面全域に伝達され、図２に矢印Ｌ２で示すように、燃焼熱が第２起伏部２８の表面全域からハウジング１４の前方へ放熱されるとともに第２露出部２９の表面全域から放熱され、燃焼ガスの熱がサウナ室１１の室内に放熱される。放熱やサウナストーン３４の加熱によって熱エネルギーが低下（温度が低下）した燃焼ガスは、排気部３０に流入した後、ファン１９を通って排気口１８からサウナ室１１の室外（外気）に排気される。
【００４０】
蒸気発生装置１３において高温蒸気を発生させる場合、足踏みペダル４６を踏んで蓋３３を開け、ケーシング３１の頂部開口３２を開放した後、頂部開口３２からケーシング３１の収容空間４５に収容されたそれらサウナストーン３４に注水する。水は、柄杓（図示せず）を利用して注水される。なお、水を注水するときには、燃焼ガスの流動が停止していることが必要である。サウナストーン３４に注水すると、ケーシング３１の頂部３５に位置するサウナストーン３４が高温に加熱されているから、水がケーシング３１の頂部３５において瞬時に気化し、図５，６に矢印Ｌ３で示すように、頂部開口３２から大量の高温蒸気がサウナ室１１の室内に一気に放出され、高温蒸気がサウナ室１１の室内に充満する。
【００４１】
ケーシング３１の頂部開口３２からの高温蒸気の放出が終了した後、ペダル４６の踏み込みを解除して蓋３３を閉め、ケーシング３１の頂部開口３２を閉鎖する。頂部開口３２を閉鎖した後、燃焼ガスをケーシング３１の頂部３５から中間部３６に向かって流動させるとともに中間部３６から底部３７に向かって流動させることでそれらサウナストーン３４を再加熱する。
【００４２】
それらサウナストーン３４の再加熱では、ケーシング３１の頂部３５に位置するサウナストーン３４が中間部３６に位置するサウナストーン３４よりも先に加熱され、ケーシング３１の中間部３６に位置するサウナストーン３４が底部３７に位置するサウナストーン３４よりも先に加熱され、頂部３５に位置するサウナストーン３４が中間部３６や底部３７に位置するサウナストーン３４よりも高い温度に加熱される。それらサウナストーン３４を再加熱した後、蓋３３を開けてケーシング３１の頂部開口３２を開放し、頂部開口３２からケーシング３１の収容空間４５に収容されたそれらサウナストーン３４に注水することで、頂部開口３２から大量の高温蒸気をサウナ室１１の室内に再び放出させることができる。
【００４３】
サウナ室１１の室内は、ヒーター装置１２の熱第１放射管１６や熱第２放射管１７から放射された赤外線と対流放熱とによって、ロウリュウサウナに適する温度（約７０〜約８０℃）に加熱され、蒸気発生装置１３から放出された高温蒸気によって、ロウリュウサウナに適する熱気流環境になる。
【００４４】
ロウリュサウナシステム１０Ａは、それが燃焼ガスの熱をサウナ室１１の室内に放熱するヒーター装置１２と燃焼ガスの熱を利用してサウナ室１１の室内に高温蒸気を放出する蒸気発生装置１３とから形成されているから、ヒーター装置１２の熱第１放射管１６（第１起伏部２６および第１露出部２７）および熱第２放射管１７（第１起伏部２８および第１露出部２９）から燃焼ガスの熱（熱エネルギー）を赤外線放射と対流放熱とによって、サウナ室１１をロウリュウサウナに適する温度（約７０〜約８０℃）に加熱することができるとともに、蒸気発生装置１３から大量の高温蒸気を発生させることによって、サウナ室１１に大量の高温蒸気を放出かつ充満させることができ、サウナ室１１を速やかにロウリュウサウナ環境にすることができる。
【００４５】
ロウリュサウナシステム１０Ａは、ケーシング３１の頂部３５に位置するサウナストーン３４が中間部３６や底部３７に位置するサウナストーン３４よりも高温に加熱されているから、頂部開口３２から注水された水が頂部３５に位置するサウナストーン３４によって瞬時に気化し、蒸気発生装置１３から大量の高温蒸気をサウナ室１１の室内に短時間に一気に放出させることができ、サウナ室１１をロウリュウサウナに適する熱気流環境にすることができる。
【００４６】
ロウリュサウナシステム１０Ａは、頂部開口３２から水を注水して高温蒸気を発生させると、頂部３５に位置するサウナストーン３４の温度が真っ先に低下するが、燃焼ガスをケーシング３１の頂部３５から底部３７に向かって流動させることで、頂部３５に位置するサウナストーン３４が速やかに再加熱されるとともに、中間部３６や底部３７に位置するサウナストーン３４が速やかに再加熱されるから、蒸気発生装置１３における高温蒸気の発生サイクルを短くすることができ、蒸気発生装置１３から大量の高温蒸気を短時間に複数回発生させることができる。
【００４７】
ロウリュサウナシステム１０Ａは、熱第１放射管１６の第１起伏部２６の長さが熱第２放射管１７の第２起伏部２８の長さの略半分であり、第１起伏部２６の長さを短くすることで第１起伏部２６における燃焼ガスの熱エネルギーの損失を防ぎ、燃焼ガスの熱エネルギーを蒸気発生装置１３において十分に利用することで、蒸気発生装置１３のサウナストーン３４を高温に加熱することができ、サウナストーン３４に注水することでそのサウナストーン３４において水を瞬時に気化させることができる。ロウリュサウナシステム１０Ａは、熱第２放射管１７の第２起伏部２８の長さを長くすることで、放射管１７からサウナ室１１を加熱するのに十分な赤外線放射と対流放熱とを発生させることができ、サウナ室１１の温度を設定温度に加熱かつ保持することができる。
【００４８】
図７は、他の一例として示すロウリュサウナシステム１０Ｂの斜視図であり、図８は、ケーシング３１の蓋３３を閉めた状態で示す蒸気発生装置１３の斜視図である。図９は、蓋３３を閉めた状態の蒸気発生装置１３における燃焼ガスの流れを示す模式図であり、図１０は、ケーシング３１の蓋３３を開けた状態で示す蒸気発生装置１３の斜視図である。図１１は、蓋３３を開けた状態の蒸気発生装置１３における燃焼ガスの流れを示す模式図である。図７では、ガード柵の図示を省略し、サウナ室１１の椅子に腰掛けた利用者を二点鎖線で示すとともに、ケーシング３１に収容されたサウナストーン３４を点線で示す。図７〜図１１では、燃焼ガスの流動を矢印Ｌ１で示す。図１０では、高温蒸気の放出を矢印Ｌ３で示す。図７では、上下方向を矢印Ａで示し、横方向を矢印Ｂで示す。
【００４９】
図７に示すロウリュサウナシステム１０Ｂが図１のそれと異なるところは燃焼ガスバイパス管４７、第１〜第３モーターダンパ４８〜５０、コントローラ５１を含む点にあり、その他の構成は図１のロウリュサウナシステム１０Ａのそれらと同一であるから、その他の構成については図１のシステム１０Ａと同一の符号を付すとともに、システム１０Ａについての説明を援用することで、その他の構成の詳細な説明は省略する。コントローラ５１には、ディスプレイおよびタッチパネルを備えた制御盤が設置されている。ディスプレイには、蓋閉鎖中、蓋開放中、蓋開放可、蓋閉鎖可が表示される。タッチパネルには、蓋開放ボタンが表示される。
【００５０】
ロウリュサウナシステム１０Ｂは、図１のそれと同様に、所定温度の燃焼ガスを利用してサウナ室１１を加熱かつ加湿し、サウナ室１１をロウリュサウナにする。ロウリュサウナシステム１０Ｂは、所定温度（高温）の燃焼ガスを作り、その燃焼ガスの熱をサウナ室１１の室内に放熱するヒーター装置１２と、燃焼ガスの熱を利用して高温蒸気を発生する蒸気発生装置１３とから形成されている。
【００５１】
ヒーター装置１２は、上下方向へ長い所定容積のハウジング１４と、燃焼ガスを作るバーナー１５と、バーナー１５につながって燃焼ガスの熱をサウナ室１１の室内に放熱する熱第１放射管１６（第１起伏部２５および第１露出部２６）と、蒸気発生装置１３から流出した燃焼ガスの熱をサウナ室１１の室内に放熱する熱第２放射管１７（第２起伏部２７および第２露出部２９）と、熱第２放射管１７の排気部３０につながって燃焼ガスを外気に排気する排気口１８（図２援用）と、燃焼ガスを流動させるファン１９（図２援用）とを有する。
【００５２】
蒸気発生装置１３は、上下方向へ長い所定容積のケーシング３１と、ケーシング３１の頂部開口３２を開閉可能な蓋３３（ハッチ）と、ケーシング３１の収容空間４５（内部）に収容された複数のサウナストーン３４と、ケーシング３１の頂部３５に作られた燃焼ガス流入口３８と、ケーシング３１の底部３７に作られた燃焼ガス流出口３９とを有する。蒸気発生装置１３には、図示はしていないが、蓋３３の開閉を検知して開閉信号を出力する開閉センサが設置されている。
【００５３】
燃焼ガス流入口３８には、熱第１放射管１６の第１露出部２７が接続され、第１露出部２７が燃焼ガス流入口３８（ケーシング３１の頂部３５）につながっている。燃焼ガス流出口３９には、熱第２放射管１７の第２露出部２９が接続され、第２露出部２９が燃焼ガス流出口３９（ケーシング３１の底部３７）につながっている。燃焼ガスバイパス管４７は、鉄やステンレス等の金属から作られ、円筒形に成形されている。バイパス管４７は、熱第１放射管１６の第１露出部２７と熱第２放射管１７の第２露出部２９とに接続され、第１露出部２７と第２露出部２９とを連結している。
【００５４】
ケーシング３１（燃焼ガス流入口３８）と燃焼ガスバイパス管４７との間に延びる第１露出部２７には、第１モーターダンパ４８が設置されている。ケーシング３１（燃焼ガス流出口３９）と燃焼ガスバイパス管４７との間に延びる第２露出部２９には、第２モーターダンパ４９が設置されている。燃焼ガスバイパス管４７には、第３モーターダンパ５０が設置されている。なお、それらモーターダンパ４８〜５０に替えて手動ダンパを使用することもできる。
【００５５】
第１〜第３モーターダンパ４８〜５０は、モジュトロールモーターと、そのモーターの駆動力によって旋回する旋回羽根と、旋回羽根の旋回によって開閉される空気流路と、旋回羽根の旋回を制御する制御部とを有する。第１〜第３モーターダンパ４８〜５０の制御部は、インターフェイス５２を介してコントローラ５１に接続されている。蒸気発生装置１３に設置された開閉センサは、インターフェイス５２を介してコントローラ５１に接続されている。
【００５６】
第１〜第３モーターダンパ４８〜５０の制御部は、コントローラ５１から出力された開閉信号によってモジュトロールモーターが回転し、それによって旋回羽根の旋回角度（ダンパ開度）を変更することで、空気流路を開放または閉鎖する。コントローラ５１から開信号が出力され、それらモーターダンパ４８〜５０の空気流路が開放されると、燃焼ガスが蒸気発生装置１３または燃焼ガスバイパス管４７に流入する。コントローラ５１から閉信号が出力され、それらモーターダンパ４８〜５０の空気流路が閉鎖されると、蒸気発生装置１３または燃焼ガスバイパス管４７への燃焼ガスの流入が遮断される。
【００５７】
図７〜図１１に基づいてロウリュサウナシステム１０Ｂにおける燃焼ガスの流れや熱の放射、高温蒸気の放出を説明すると、以下のとおりである。操作パネルにおいてスイッチをＯＮにすると、入力されたＯＮ信号に従って制御装置がヒーター装置１２を起動させる。ヒーター装置１２が起動すると、ファン１９によって燃焼用空気が給気口からバーナー１５に給気されるとともに、燃料がバーナー１５に供給される。バーナー１５は、燃焼用空気と燃料とを混合した混合気に点火し、混合気を燃焼させて燃焼ガスを生成する。
【００５８】
バーナー１５によって作られた燃焼ガスは、バーナー１５から熱第１放射管１６に流入し、図７に矢印Ｌ１で示すように、熱第１放射管１６の第１起伏部２６を流動した後、第１起伏部２６から第１露出部２７に流入する。燃焼ガスが熱第１放射管１６を流動する過程において、その燃焼熱（熱エネルギー）が熱第１放射管１６の表面全域に伝達され、燃焼熱が赤外線となって第１起伏部２６の表面全域からハウジング１４の前方へ放熱されるとともに第１露出部２７の表面全域から放熱され、燃焼ガスの熱エネルギー（赤外線）がサウナ室１１の室内に放熱される（図２参照）。
【００５９】
蓋３３が閉められ、ケーシング３１の頂部開口３２が閉鎖された状態では、開閉センサから閉信号がコントローラ５１に出力され、コントローラ５１は頂部開口３２が閉鎖されていると判断し、開信号を第１および第２モーターダンパ４８，４９の制御部に出力するとともに、閉信号を第３モーターダンパ５０の制御部に出力する。
【００６０】
図９に示すように、コントローラ５１から開信号を受信した第１および第２モーターダンパ４８，４９の制御部は、旋回羽根を旋回させて空気流路を開放し、または、既にする空気流路が開放されている場合はその状態を維持する。コントローラ５１から閉信号を受信した第３モーターダンパ５０の制御部は、旋回羽根を旋回させて空気流路を閉鎖し、または、既にする空気流路が閉鎖されている場合はその状態を維持する。なお、手動ダンパを使用する場合は、第１および第２露出部２７，２９に設置されたダンパを手動で開け、バイパス管４７に設置されたダンパを手動で閉める。コントローラ４７の制御盤のディスプレイには、蓋閉鎖中が表示される。
【００６１】
図８，９の状態において第１露出部２７に流入した燃焼ガスは、燃焼ガスバイパス管４７に流入することなく、第１露出部２７を通ってケーシング３１の頂部３５に作られた燃焼ガス流入口３８からケーシング３１の内部（蒸気発生装置１３の内部）に流入し、ケーシング３１の頂部３５から底部３７に向かって流動した後、ケーシング３１の底部３７に作られた燃焼ガス流出口３９からケーシング３１の外部（蒸気発生装置１３の外部）に流出し、第２露出部２９に流入する。蒸気発生装置１３では、蓋３３を閉めてケーシング３１の頂部開口３２を閉鎖した状態で、燃焼ガスがケーシング３１の頂部３５から底部３７に向かって流動し、頂部３５に位置するサウナストーン３４から底部３７に位置するサウナストーン３４に向かってそれらサウナストーン３４が高温に加熱される。
【００６２】
ケーシング３１の燃焼ガス流出口３９（蒸気発生装置１３）から流出した燃焼ガスは、熱第２放射管１７の第２露出部２９に流入し、図７に矢印Ｌ１で示すように、第２露出部２９から第２起伏部２８を流動した後、第２起伏部２８から排気部３０に流入する。燃焼ガスが熱第２放射管１７を流動する過程において、その燃焼熱（熱エネルギー）が熱第２放射管１７の表面全域に伝達され、燃焼熱が赤外線となって第２起伏部２８の表面全域からハウジング１４の前方へ放熱されるとともに第２露出部２９の表面全域から放熱され、燃焼ガスの熱エネルギー（赤外線）がサウナ室１１の室内に放熱される（図２参照）。放熱やサウナストーン３４の加熱によって熱エネルギーが低下（温度が低下）した燃焼ガスは、排気部３０に流入した後、ファン１９を通って排気口１８からサウナ室１１の室外（外気）に排気される。
【００６３】
蒸気発生装置１３において高温蒸気を発生させる場合、コントローラ５１の制御盤のタッチパネルに表示された蓋開放ボタンを押す。蓋開放ボタンを押すと、蓋開放要求信号がコントローラ５１に転送され、コントローラ５１が閉信号を第１および第２モーターダンパ４８，４９の制御部に出力するとともに、開信号を第３モーターダンパ５０の制御部に出力する。図９に示すように、コントローラ５１から閉信号を受信した第１および第２モーターダンパ４８，４９の制御部は、旋回羽根を旋回させて空気流路を閉鎖する。コントローラ５１から開信号を受信した第３モーターダンパ５０の制御部は、旋回羽根を旋回させて空気流路を開放する。
【００６４】
第１および第２モーターダンパ４８，４９の空気流路が閉鎖されると、燃焼ガス流入口３８とバイパス管４７との間に延びる第１露出部２７が閉鎖されるとともに、燃焼ガス流出口３９とバイパス管４７との間に延びる第２露出部２９が閉鎖され、ケーシング３１の頂部３５から収容空間４５（内部）への燃焼ガスの流入が遮断される。燃焼ガスバイパス管４７が開放されると、燃焼ガスが第１露出部２７からバイパス管４７を通って第２露出部２９に流入する。なお、手動ダンパを使用する場合は、第１および第２露出部２７，２９に設置されたダンパを手動で閉め、バイパス管４７に設置されたダンパを手動で開ける。
【００６５】
第１および第２モーターダンパ４８，４９の空気流路が閉鎖され、第３モーターダンパ５０の空気流路が開放されると、コントローラ５１のディスプレイには、蓋開放可が表示される。蓋開放可メッセージを確認した後、足踏みペダル４６を踏んで蓋３３を開け、ケーシング３１の頂部開口３２を開放させる。なお、蓋３３が自動開閉式である場合、蓋３３が自動的に開けられる。蓋３３が開き、ケーシング３１の頂部開口３２が開放されると、開閉センサから開信号がコントローラ５１に出力される。コントローラ５１は、頂部開口３２が開放されたと判断し、ディスプレイに蓋開放中を表示するとともに、蓋閉鎖可を表示する。
【００６６】
ケーシング３１の頂部開口３２を開放した後、柄杓を利用し、頂部開口３２からケーシング３１の収容空間４５に収容されたそれらサウナストーン３４に注水する。水を注水するときには、ヒーター装置１２のバーナー１５やファン１９が稼働し、燃焼ガスが生成され、燃焼ガスが熱第１放射管１６からバイパス管４７を通って熱第２放射管１７に流入し、それら放射管１６，１７（バイパス管４７を含む）から熱が放熱されている。サウナストーン３４に注水すると、ケーシング３１の頂部３５に位置するサウナストーン３４が高温に加熱されているから、水がケーシング３１の頂部３５において瞬時に気化し、図１０に矢印Ｌ３で示すように、頂部開口３２から大量の高温蒸気がサウナ室１１の室内に一気に放出され、高温蒸気がサウナ室１１の室内に充満する。
【００６７】
ケーシング３１の頂部開口３２からの高温蒸気の放出が終了した後、ペダル４６の踏み込みを解除して蓋３３を閉め、頂部開口３２を閉鎖する。蓋３３が閉められ、ケーシング３１の頂部開口３２が閉鎖されると、開閉センサから閉信号がコントローラ５１に出力され、コントローラ５１は頂部開口３２が閉鎖されていると判断し、開信号を第１および第２モーターダンパ４８，４９の制御部に出力するとともに、閉信号を第３モーターダンパ５０の制御部に出力する。なお、蓋３３が自動開閉式の場合、タッチパネルに蓋閉鎖ボタンが表示され、その閉鎖ボタンを押す。閉鎖ボタンを押すと、蓋３３が自動的に閉まる。
【００６８】
コントローラ５１から開信号を受信した第１および第２モーターダンパ４８，４９の制御部は、旋回羽根を旋回させて空気流路を開放し、コントローラ５１から閉信号を受信した第３モーターダンパ５０の制御部は、旋回羽根を旋回させて空気流路を閉鎖する。なお、手動ダンパを使用する場合は、第１および第２露出部２７，２９に設置されたダンパを手動で開け、バイパス管４７に設置されたダンパを手動で閉める。コントローラ４７の制御盤のディスプレイには、蓋閉鎖中が表示される。
【００６９】
燃焼ガスバイパス管４７が閉鎖されると、第１露出部２７からバイパス管４７への燃焼ガスの流入が遮断される。第１および第２モーターダンパ４８，４９の空気流路が開放されると、燃焼ガス流入口３８とバイパス管４７との間に延びる第１露出部２７が開放されるとともに、燃焼ガス流出口３９とバイパス管４７との間に延びる第２露出部２９が開放され、燃焼ガスが第１露出部２７を通ってケーシング３１の頂部３５から収容空間４５へ流入し、ケーシング３１の底部３７からケーシング３１の外部へ流出して第２露出部２９に流入する（図９参照）。
【００７０】
頂部開口３２が閉鎖された後、燃焼ガスをケーシング３１の頂部３５から底部３７に向かって流動させることでそれらサウナストーン３４が再加熱される。それらサウナストーン３４の再加熱では、ケーシング３１の頂部３５に位置するサウナストーン３４が中間部３６に位置するサウナストーン３４よりも先に加熱され、ケーシング３１の中間部３６に位置するサウナストーン３４が底部３７に位置するサウナストーン３４よりも先に加熱され、頂部３５に位置するサウナストーン３４が中間部３６および底部３７に位置するサウナストーン３４よりも高い温度に加熱される。それらサウナストーン３４を再加熱した後、蓋３３を開けてケーシング３１の頂部開口３２を開放し、頂部開口３２からケーシング３１の収容空間４５に収容されたそれらサウナストーン３４に注水することで、頂部開口３２から大量の高温蒸気をサウナ室１１の室内に再び放出させることができる。
【００７１】
サウナ室１１の室内は、ヒーター装置１２の熱第１放射管１６および熱第２放射管１７からの放熱によって、ロウリュウサウナに適する温度（約７０〜約８０℃）に加熱され、蒸気発生装置１３から放出された高温蒸気によって、ロウリュウサウナに適する熱気流環境になる。
【００７２】
ロウリュサウナシステム１０Ｂは、図１のシステム１０Ａが有する効果に加え、以下の効果を有する。ロウリュサウナシステム１０Ｂは、たとえば燃焼ガスバイパス管４７が設置されていない状態でケーシング３１の頂部開口３２が開放されると、頂部開口３２から空気（外気）がケーシング３１の収容空間４５（内部）へ進入するとともに空気が熱第２放射管１７に進入し、熱第１放射管１６やバーナー１５を負圧に保持することができず、燃焼ガスをバーナー１５から排気口１８に向かって円滑に流動させることができなくなるが、バイパス管４７を設置することで、ケーシング３１の頂部開口３２が開放されたときに燃焼ガスがバイパス管４７に流入するから、熱第２放射管１７に空気（外気）が進入することはなく、熱第１放射管１６やバーナー１５を負圧に保持することができ、燃焼ガスをバーナー１５から排気口１８に向かって円滑に流動させることができる。
【００７３】
また、バイパス管４７が設置されていない状態でケーシング３１の頂部開口３２が開放されると、発生した高温蒸気が熱第２放射管１７を通って排気口１８からサウナ室１１の室外に放出されてしまうが、バイパス管４７を設置することで、ケーシング３１の頂部開口３２が開放されたときに燃焼ガスがバイパス管４７に流入し、燃焼ガスがケーシング３１の頂部３５から底部３７に向かって流動することはなく、発生した高温蒸気をケーシング３１の頂部開口３２からサウナ室１１の室内に確実に放出させることができる。
【００７４】
さらに、ケーシング３１の収容空間４５に空気が進入すると、燃焼ガスに空気が混合されて燃焼ガスの熱エネルギーが低下し、熱第２放射管１７から高い熱エネルギーを放熱させることができないが、頂部開口３２の開放中に燃焼ガスがバイパス管４７を通って第２露出部２９に流入するから、頂部開口３２の開放中における燃焼ガスの熱エネルギーの低下を防ぐことができ、熱第２放射管１７を介して十分な熱エネルギーをサウナ室１１の室内に放熱させることができ、サウナ室の温度をロウリュウサウナに適する約７０〜約８０℃に加熱かつ保持することができる。なお、頂部開口３２の開放中に燃焼ガスが頂部開口３２から漏出して燃焼ガスによる不測の事故が起こる場合があるが、頂部開口３２の開放中に燃焼ガスが頂部開口３２から漏出する心配はなく、燃焼ガスによる不測の事故を防ぐことができる。
【００７５】
ロウリュサウナシステム１０Ｂは、蓋３３を閉めてケーシング３１の頂部開口３２を閉鎖すると、バイパス管４７が閉鎖され、燃焼ガス流入口３８とバイパス管４７との間に延びる第１露出部２７が開放されるとともに、燃焼ガス流出口３９とバイパス管４７との間に延びる第２露出部２９が開放され、直ちに燃焼ガスがケーシング３１の頂部３５から底部３７に向かって流動するから、ケーシング３１の頂部開口３２が閉鎖された後、燃焼ガスをケーシング３１の収容空間４５に流動させることができ、サウナストーン３４を速やかに再加熱することができる。
【符号の説明】
【００７６】
１０Ａ  ロウリュサウナシステム
１０Ｂ  ロウリュサウナシステム
１１    サウナ室
１２    ヒーター装置
１３    蒸気発生装置
１４    ハウジング
１５    バーナー
１６    熱第１放射管
１７    熱第２放射管
１８    排気口
１９    ファン
２６    第１起伏部
２７    第１露出部
２８    第２起伏部
２９    第２露出部
３１    ケーシング
３２    頂部開口
３３    蓋
３４    サウナストーン
３５    頂部
３７    底部
３８    燃焼ガス流入口
３９    燃焼ガス流出口
４５    サウナストーン収容空間
４６    足踏みペダル
４７    燃焼ガスバイパス管
４８    第１モーターダンパ
４９    第２モーターダンパ
５０    第３モーターダンパ
【図１】
2015096111.tif 000003
【図２】
2015096111.tif 000004
【図３】
2015096111.tif 000005
【図４】
2015096111.tif 000006
【図５】
2015096111.tif 000007
【図６】
2015096111.tif 000008
【図７】
2015096111.tif 000009
【図８】
2015096111.tif 000010
【図９】
2015096111.tif 000011
【図１０】
2015096111.tif 000012
【図１１】
2015096111.tif 000013